【手続補正書】
【提出日】平成19年12月4日(2007.12.4)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
アノード線と、カソード線と、信号線と、走査線と、画素と、アナログスイッチと、逆電圧印加用トランジスタと、を有し、
前記画素は、
ゲート電極が前記走査線に接続され、第１の電極が前記信号線に接続される第１のトランジスタと、
ゲート電極が前記第１のトランジスタの第２の電極に接続され、第１の電極が前記アノード線に接続される第２のトランジスタと、
第１の電極が前記第２のトランジスタの第２の電極に接続される第３のトランジスタと、
第１の電極が前記第３のトランジスタの第２の電極に接続され、第２の電極が前記カソード線に接続される発光素子と、
ゲート電極が前記アノード線に接続され、第１の電極が前記発光素子の第１の電極に接続され、第２の電極が電位線に接続される逆バイアス用トランジスタとを有し、
前記アナログスイッチは、
ゲート電極が前記アノード線に接続される第４のトランジスタと、
ゲート電極が前記カソード線又は第１の電源線に接続される第５のトランジスタと、を有し、
前記第４のトランジスタの第１の電極と前記第５のトランジスタの第１の電極とは接続されて前記アナログスイッチの入力となり、
前記第４のトランジスタの第２の電極と前記第５のトランジスタの第２の電極とは接続されて前記アナログスイッチの出力となり、
前記逆電圧印加用トランジスタのゲート電極は前記カソード線又は第２の電源線に接続され、
第１の電極は前記アノード線に接続され、第２の電極は前記アナログスイッチの出力と前記走査線に接続されることを特徴とする表示装置。
【請求項２】
アノード線と、カソード線と、信号線と、走査線と、画素と、クロックドインバータと、逆電圧印加用トランジスタと、を有し、
前記画素は、
ゲート電極が前記走査線に接続され、第１の電極が前記信号線に接続される第１のトランジスタと、
ゲート電極が前記第１のトランジスタの第２の電極に接続され、第１の電極が前記アノード線に接続される第２のトランジスタと、
第１の電極が前記第２のトランジスタの第２の電極に接続される第３のトランジスタと、
第１の電極が前記第３のトランジスタの第２の電極に接続され、第２の電極が前記カソード線に接続される発光素子と、
ゲート電極が前記アノード線に接続され、第１の電極が前記発光素子の第１の電極に接続され、第２の電極が電位線に接続される逆バイアス用トランジスタとを有し、
前記クロックドインバータは、
第１の電極が高電位電源線に接続される第４のトランジスタと、
ゲート電極が前記アノード線又は第１の電源線に接続され、第１の電極が低電位電源線に接続される第５のトランジスタと、
第１の電極が前記第５のトランジスタの第２の電極に接続される第６のトランジスタと、を有し、
前記第４のトランジスタのゲート電極と前記第６のトランジスタのゲート電極とは接続されて前記クロックドインバータの入力となり、
前記第４のトランジスタの第２の電極と前記第６のトランジスタの第２の電極とは接続されて前記クロックドインバータの出力となり、
前記逆電圧印加用トランジスタのゲート電極は前記カソード線又は第２の電源線に接続され、
第１の電極は前記アノード線に接続され、第２の電極は前記クロックドインバータの出力と前記走査線に接続されることを特徴とする表示装置。
【請求項３】
アノード線と、カソード線と、信号線と、走査線と、画素と、アナログスイッチと、逆電圧印加用トランジスタと、制御用回路と、を有し、
前記画素は、
ゲート電極が前記走査線に接続され、第１の電極が前記信号線に接続される第１のトランジスタと、
ゲート電極が前記第１のトランジスタの第２の電極に接続され、第１の電極が前記アノード線に接続される第２のトランジスタと、
ゲート電極が第１の電源線に接続され、第１の電極が前記第２のトランジスタの第２の電極に接続される第３のトランジスタと、
第１の電極が前記第３のトランジスタの第２の電極に接続され、第２の電極が前記カソード線に接続される発光素子と、
ゲート電極が前記アノード線に接続され、第１の電極が前記発光素子の第１の電極に接続され、第２の電極が電位線に接続される逆バイアス用トランジスタとを有し、
前記アナログスイッチは、
ゲート電極が前記アノード線に接続される第４のトランジスタと、
ゲート電極が前記カソード線又は第２の電源線に接続される第５のトランジスタと、を有し、
前記第４のトランジスタの第１の電極と前記第５のトランジスタの第１の電極とは接続されて前記アナログスイッチの入力となり、
前記第４のトランジスタの第２の電極と前記第５のトランジスタの第２の電極とは接続されて前記アナログスイッチの出力となり、
前記逆電圧印加用トランジスタのゲート電極は前記カソード線又は第３の電源線に接続され、第１の電極は前記アノード線に接続され、第２の電極は前記アナログスイッチの出力と前記走査線に接続され、
前記制御用回路は、
ゲート電極が前記アノード線に接続され、第１の電極が前記第１の電源線に接続される第６のトランジスタと、
第１の電極が前記アノード線に接続され、第２の電極が前記第１の電源線に接続される第７のトランジスタと、を有することを特徴とする表示装置。
【請求項４】
アノード線と、カソード線と、信号線と、走査線と、画素と、クロックドインバータと、逆電圧印加用トランジスタと、制御用回路と、を有し、
前記画素は、
ゲート電極が前記走査線に接続され、第１の電極が前記信号線に接続される第１のトランジスタと、
ゲート電極が前記第１のトランジスタの第２の電極に接続され、第１の電極が前記アノード線に接続される第２のトランジスタと、
ゲート電極が第１の電源線に接続され、第１の電極が前記第２のトランジスタの第２の電極に接続される第３のトランジスタと、
第１の電極が前記第３のトランジスタの第２の電極に接続され、第２の電極が前記カソード線に接続される発光素子と、
ゲート電極が前記アノード線に接続され、第１の電極が前記発光素子の第１の電極に接続され、第２の電極が電位線に接続される逆バイアス用トランジスタとを有し、
前記クロックドインバータは、
第１の電極が高電位電源線に接続される第４のトランジスタと、
ゲート電極が前記アノード線又は第２の電源線に接続され、第１の電極が低電位電源線に接続される第５のトランジスタと、
第１の電極が前記第５のトランジスタの第２の電極に接続される第６のトランジスタと、を有し、
前記第４のトランジスタのゲート電極と前記第６のトランジスタのゲート電極とは接続されて前記クロックドインバータの入力となり、
前記第４のトランジスタの第２の電極と前記第６のトランジスタの第２の電極とは接続されて前記クロックドインバータの出力となり、
前記逆電圧印加用トランジスタのゲート電極は前記カソード線又は第３の電源線に接続され、第１の電極は前記アノード線に接続され、第２の電極は前記クロックドインバータの出力と前記走査線に接続され、
前記制御用回路は、
ゲート電極が前記アノード線に接続され、第１の電極が前記第１の電源線に接続される第７のトランジスタと、
第１の電極が前記アノード線に接続され、第２の電極が前記第１の電源線に接続される第８のトランジスタと、を有することを特徴とする表示装置。
【請求項５】
請求項３において、前記第２の電源線と前記第３の電源線は同じ電位に保たれていることを特徴とする表示装置。
【請求項６】
請求項１、３及び５のいずれか一において、
前記アノード線と前記カソード線の電位が反転されて前記発光素子へ逆電圧が印加され、同時に前記アナログスイッチがオフとされ、前記逆電圧印加用トランジスタがオンとされることを特徴とする表示装置。
【請求項７】
請求項１、３、５及び６のいずれか一において、前記第４のトランジスタと前記第５のトランジスタの極性は異なることを特徴とする表示装置。
【請求項８】
請求項１又は２において、前記第３のトランジスタのゲート電極は前記電位線に接続されていることを特徴とする表示装置。
【請求項９】
請求項２又は４において、前記アノード線と前記カソード線の電位が反転されて前記発光素子へ逆電圧が印加され、同時に前記クロックドインバータがハイインピーダンス状態とされ、前記逆電圧印加用トランジスタがオンとされることを特徴とする表示装置。
【請求項１０】
請求項１乃至９のいずれか一において、前記第１のトランジスタは線形領域で動作させることを特徴とする表示装置。
【請求項１１】
請求項１乃至１０のいずれか一において、前記第２のトランジスタは線形領域で動作させることを特徴とする表示装置。
【請求項１２】
請求項１乃至１１のいずれか一において、前記第３のトランジスタは線形領域又は飽和領域で動作させることを特徴とする表示装置。
【請求項１３】
請求項１乃至１２のいずれか一において、
前記画素は、
第１の電極が前記第２のトランジスタのゲート電極に接続され、第２の電極が前記アノード線に接続される消去用トランジスタを有することを特徴とする表示装置。
【請求項１４】
請求項１３において、前記消去用トランジスタは線形領域で動作させることを特徴とする表示装置。